(57)【要約】【課題】老人等の要介護者の床ずれ等を有効に防止できる安価なベッド用マットを提供するにある。【解決手段】ベッド等の上面に敷く老人等の介護用マットであって、縄２の表面に木綿糸等で編成の筒状カバー３を被覆して、この筒状カバー３を被覆した縄２を平面状に並設して介護用のマット１を形成したもので、縄２を二条状として木綿糸で編成した筒状カバー３を被覆することもできる。そしてまた、筒状カバー３を被覆した縄２を中心部側から渦巻き状に巻回して縫合して介護用マットを形成することが好ましい。【選択図】        図１
2004222903.tif 000002
【特許請求の範囲】
【請求項１】
ベッド等の上面に敷く老人等の介護用マットであって、
縄の表面に木綿糸等で編成の筒状カバーを被覆して、この筒状カバーを被覆した縄を平面状に並設して介護用マットを形成したことを特徴とする老人等の介護用マット。
【請求項２】
縄を二条状として木綿糸で編成した筒状カバーを被覆した請求項１に記載の老人等の介護用マット。
【請求項３】
筒状カバーを被覆した縄を中心部側から渦巻き状に巻回して縫合して介護用マットを形成した請求項１または２に記載の老人等の介護用マット。
【発明の詳細な説明】
【０００１】
【発明が属する技術分野】
本発明は、寝具分野における老人等の介護用マットに関するものである。
【０００２】
【従来の技術】
近年、高齢化にともなって老人が増加し、病院や介護施設等での老人の介護数が増えている。
【０００３】
特に、老人の場合、体力が衰えてきているため、病院や介護施設等のベッドで寝ていることが多く、床ずれなどで悩んでいる人が増えているが、有効な対策がなされていない。
【０００４】
【先行技術文献】
そこで、先行技術文献について調査したところ、特開２００２−２２３９０１、特開平１１−９３９７等が検索できた。
【０００５】
【発明が解決しようとする課題】
しかし、特開２００２−２２３９０１はベッド用マットレスで、マットレス本体の表裏に低硬度側発泡体層と高硬度側発泡体層をそれぞれ積層し、体重に応じて表裏を使い分けをする介護用のものである。
【０００６】
また、特開平１１−９３９７はマットレスで、防水層を形成するとともに所定の折れ曲がりラインで折れ曲げるようにしたギャッチ・ベッド用の水マットレスのものである。
【０００７】
しかし、両者共、嵩高かで、通常の病院や介護施設等のベッドの上面に簡単に敷いて床ずれ等を防止するのに適さなく、安価で簡易に敷設できて使用できる老人等の介護用マットを開発するのが課題であった。
【０００８】
【課題を解決するための手段】
本発明は、上記のような点に鑑みたもので、上記の課題を解決するために、ベッド等の上面に敷く老人等の介護用マットであって、縄の表面に木綿糸等で編成の筒状カバーを被覆して、この筒状カバーを被覆した縄を平面状に並設して介護用マットを形成したことを特徴とする老人等の介護用マットを提供するにある。
【０００９】
【発明の実施の態様】
本発明の老人等の介護用マットは、ベッド等の上面に敷く老人等の介護用マットであって、縄の表面に木綿糸等で編成の筒状カバーを被覆して、この筒状カバーを被覆した縄を平面状に並設して介護用マットを形成したことを特徴としている。
【００１０】
介護用マット１は、図１、図２のように１０〜３０ｍｍ径の縄２を木綿糸等で編成した筒状カバー３で被覆し、この筒状カバー３を被覆した縄２を平面状に並べて縫合して所定の大きさに形成したものである。
【００１１】
この介護用マット１に縄２を使うのは、稲の藁で縄２を作りやすく、適宜な柔軟性があり、通気性もあり、さらに適宜な保温性、冷却性を保つことができて、介護用マットとしては良好と考えられたからである。
【００１２】
そして、筒状カバー３は、図２のように電線等を被覆している編機のような編成装置で、上記した縄２を引き出しながらその外周面に木綿糸等を複数条ごと筒状に編成して被覆するもので、特に木綿糸が安価で通気性や吸汗性も良好で、アレルギーの発生もなくて適切なものである。
【００１３】
また、上記した縄２の１本の太さは、１０ｍｍ径よりも細いとクッション性や、床ずれ防止に余り有効でなく、３０ｍｍよりも太いと作りにくく、また嵩高となって好ましくない。好ましくは１５〜２０ｍｍ径である。また、縄２の縒りピッチとしては、縄径Ｄの２Ｄ〜３Ｄが芯が強くなって好ましい。
【００１４】
また、介護用マット１を編成するには、図１のようにマットの中心部側からほぼ渦巻き状に巻回していってその巻回する縄２の側周部を互いに縫合して所要のマットの大きさに結合していくのが、最外周部のリブ処理等をする必要がなくなって好ましいものである。そして、図３のようにベッド４の上面に敷いて使用することができる。
【００１５】
また、図４のように上記した縄２を上下二条に重ね合わせて筒状カバー３を被覆するのが、介護用マット１のクッション性をよりよくできて好ましく、また上下の二条状位であると介護用マット１の製造も難しくなくて好ましいものである。
【００１６】
なお、上記では、ベッドに使用することについて説明したが、フローリングの床面や、じゅうたん面、畳面上に使用することも可能であり、また筒状カバーを被覆した縄は、渦巻き状の他に縦または横に折り返すようにジグザグ状に編成して縫合することも可能である。
【００１７】
【実施例】
図１〜図３は、本発明の上記のように構成の介護用マット１の一実施例を示すもので、図３のように病院や介護施設等のベッド４の上面に上記のように形成した介護用マット１を繰り広げて敷設して、患者等や老人等の要介護者が利用することができる。
【００１８】
介護用マット１は、上記図１〜図３によって説明したように藁の縄２に木綿糸で編成した筒状カバー３を被覆し、平面状に並べ合わせて縫合しているため、適宜の柔らかさの凹凸状となって背中や腰部等を支持でき、床ずれを有効に防止することができる。
【００１９】
特に、縄２の適宜の通気性と保温性の特性によって、寒期には断熱効果を奏して保温性を有し、暖期には通気、冷却性を奏して快適に利用することができるものである。
【００２０】
また、縄２を図４のように上下方向に二条状に配列して筒状カバー３を被覆するものを使用することによって、クッション性を高められて、より快適に利用することができる。
【００２１】
なお、木綿糸等をいろいろな色彩を付した糸で編成することによって、筒状カバーをカラフルに作れて介護用マットを装飾的なものにすることができ、ベッドを陽気な雰囲気にできて好ましい。
【００２２】
また、上記では介護用マットを一枚で一体的に形成したが、図５のように所定の小形のものを作成し、これらの側辺をそれぞれ結合して所要の大きさにするなど、本発明の趣旨にもとづいて適宜の変形態様を実施することができる。
【００２３】
【発明の効果】
以上のように本発明にあっては、適宜の柔らかさの凹凸状となって背中や腰部等を支持でき、床ずれを有効に防止することができ、老人等の介護に適切に利用できて好ましい。
【００２４】
また、縄を二条状として木綿糸で編成した筒状カバーを被覆することによって、クッション性を高められて、より快適に利用することができる。
【００２５】
さらに、筒状カバーを被覆した縄を中心部側から渦巻き状に巻回して縫合して介護用マットを形成することによって、最外周部のリブ処理等をする必要がなくなって、奇麗にかつ安価に作ることができるものである。
【図面の簡単な説明】
【図１】本発明の一実施例の介護用マットの平面図、
【図２】同上の製造工程説明の一部省略した平面図、
【図３】同上の一使用例の一部省略した側断面図、
【図４】同上の他の製造工程説明の一部省略した平面図、
【図５】同上の他の実施例の介護用マットの平面図。
【符号の説明】
１…介護用マット            ２…縄            ３…筒状カバー
４…ベッド
【図１】
2004222903.tif 000003
【図２】
2004222903.tif 000004
【図３】
2004222903.tif 000005
【図４】
2004222903.tif 000006
【図５】
2004222903.tif 000007